(57)【要約】【課題】  屋外で計器箱内に結露が発生することを防ぐために通気孔としての機能を設けた配線孔キャップを提供すること。【解決手段】  隠蔽配線用配線部２を備えたベース１と、ベース１に取り付けて上面４ａに検針窓３を備えたカバー４とから計器を収容する計器箱を構成し、ベース１に形成した隠蔽配線用配線部２またはカバー４の周壁面４ｂに形成した配線孔５に配置して電線を通す配線孔キャップにおいて、通線部８と通気部とを有する通線形成面７で通線部８の開放により通線孔９を形成して空気の自然対流を行うため、屋外で計器箱内の湿度を低くすることができ、計器箱内の結露の発生を防止することができる。  【選択図】  図１
2009180639.tif 000002
【特許請求の範囲】
【請求項１】
隠蔽配線用配線部を備えたベースと、該ベースに取り付けて上面に検針窓を備えたカバーとから計器を収容する計器箱を構成し、該ベースに形成した該隠蔽配線用配線部および該カバーの周壁面に形成した配線孔に配置して該隠蔽配線用配線部および該配線孔の電線を通す配線孔キャップにおいて、通線部と通気部とを有する通線形成面で該通線部の開放により通線孔を形成したことを特徴とする配線孔キャップ。
【請求項２】
該通線形成面が網状体からなることを特徴とする請求項１の配線孔キャップ。
【請求項３】
該通線形成面が複数のスリットからなることを特徴とする請求項１の配線孔キャップ。
【請求項４】
該通線部を付け外し可能としたことを特徴とする請求項１から３のいずれか１項に記載の配線孔キャップ。
【請求項５】
該通線部が開閉可能としたことを特徴とする請求項１から３のいずれか１項に記載の配線孔キャップ。
【発明の詳細な説明】
【技術分野】
【０００１】
本発明は、屋外に設置される電力量計などの電気計測器等を収納する計器箱に使用される配線孔キャップに関するものである。
【背景技術】
【０００２】
従来、電気計測器等を屋外に設置する場合、電気計測器等を固定するベースと、このベースに嵌合し、ベースを覆い風雨から電気計測器等を防護しベースと相対する面に検針窓が設けられたカバーとからなる計器箱を用いる。
【０００３】
計器箱を用いて電気計測器等を屋外に設置する場合、該ベースに形成した隠蔽配線用配線部または該カバーの周壁面に形成した配線孔から何らかの原因で計器箱内に湿気が浸入し、寒暖の差から検針窓の内面に小さな水滴が付着してすりガラス状に曇り、電気計測器等の表示の読み取りが出来なくなることがあった。
【０００４】
これを防ぐ為の手段は、例えば特許文献１に開示されている。これを図１４および図１５に置き換えて示すように、９４は検針窓９３の内側面より突出した仕切リブであって、カバー９２の装着状態においては電力量計９５に設けられた計量指示部９６の下方に近接対応している。上記の構成によればカバー内壁をはいながら上昇する暖気流が発生しても仕切リブ９４によってさえぎられた後に矢印の如く計量指示部９６の両側を通って上昇するものである。したがって、暖気流が周囲より低温度の検針窓９３に触れることがなく、検針窓９３に水蒸気が結露しないものである。
【０００５】
【特許文献１】特開昭５６−９８６０９号公報
【発明の開示】
【発明が解決しようとする課題】
【０００６】
しかしながら、前記従来の手段では、外部から空気の流入がないので計器箱内での空気の対流効果はさほどなく、計器箱内の結露による電気計測器等の故障や劣化の原因となる恐れがあり、リブを設けることによって収納空間も小さくなるという課題を有していた。
【０００７】
本発明は上記問題点を解消し、配線に使用されなかった隠蔽配線用配線部または配線孔を塞ぐ配線孔キャップに、外部からの空気の流入をさせる通気孔としての機能を有すると共に、配線に使用される隠蔽配線用配線部または配線孔に利用できる通線部を有する配線孔キャップを提供することを目的とする。
【課題を解決するための手段】
【０００８】
本発明は、隠蔽配線用配線部を備えたベースと、該ベースに取り付けて上面に検針窓を備えたカバーとから計器を収容する計器箱を構成し、該ベースに形成した該隠蔽配線用配線部または該カバーの周壁面に形成した配線孔に配置して該隠蔽配線用配線部および該配線孔の電線を通す配線孔キャップにおいて、通線部と通気部とを有する通線形成面で該通線部の開放により通線孔を形成したことを特徴とする。
【０００９】
また、該通線形成面が網状体や複数のスリットからなることを特徴とする。
【００１０】
さらに、該通線部を付け外し可能としたり、開閉可能としたことを特徴とする。
【発明の効果】
【００１１】
本発明の配線孔キャップは、隠蔽配線用配線部を備えたベースと、該ベースに取り付けて上面に検針窓を備えたカバーとから計器を収容する計器箱を構成し、該ベースに形成した該隠蔽配線用配線部または該カバーの周壁面に形成した配線孔に配置して該隠蔽配線用配線部または該配線孔の電線を通す配線孔キャップにおいて、通線部と通気部とを有する通線形成面で該通線部の開放により通線孔を形成したことにより、計器箱内の空気が自然対流するため、屋外で計器箱内の湿度を低くすることができ、計器箱内の結露の発生を防止することができる。このとき通線形成面を網状体で形成して通線部と通気部とを兼用したり、通線形成面を複数のスリットで形成しても効果に変わりはなく、隠蔽配線用配線部または該配線孔が変更となっても再度、閉鎖状態に戻すことができるよう付け外し可能としたり、開閉可能としてもよい。
【発明を実施するための最良の形態】
【００１２】
以下、本発明の実施の形態について、図面を参照しながら説明する。なお、この実施の形態によって本発明が限定されるものではない。
【００１３】
図１から４に示すように、屋外に設置される電力量計などの電気計測器等を収納する計器箱は、隠蔽配線用配線部２を備えたベース１と、ベース１に取り付けて上面４ａに検針窓３を備えたカバー４とからなる。ベース１はベース１の半円状切り欠き部およびアダプタ１ａの半円状切り欠きより構成される隠蔽配線用配線部２を備え、壁面等に固定する面および電気計測器等を固定する面を持つ。ベース１の単一もしくは複数の隠蔽配線用配線部２の箇所に電線を通す配線孔キャップ６がある。カバー４は上面４ａと周壁面４ｂとでベース１の電気計測器等を固定する面を覆うように嵌合して取り付けられ、風雨からベース1の電気計測器等を固定する面に固定された電気計測器等を保護し、ベース１と相対する面である上面４ａには電気計測器等を監視するための検針窓３がある。カバー４の周壁面４ｂには単一もしくは複数の配線孔５の箇所に電線を通す配線孔キャップ６がある。配線孔キャップ６には、通線部８と通気部とを有する通線形成面７に通線部８の開放により通線孔９を形成される。電気配線の例としては隠蔽配線用配線部２または配線孔５から計器箱の内面に電線が入線され、隠蔽配線用配線部２または配線孔５が単一に設けられている場合には同じ隠蔽配線用配線部２または配線孔５より、隠蔽配線用配線部２または配線孔５が複数に設けられている場合には同じ隠蔽配線用配線部２または配線孔５もしくは入線に用いた隠蔽配線用配線部２または配線孔５とは別の隠蔽配線用配線部２または配線孔５より電線が計器箱の外面へ出線される。これらのとき、隠蔽配線用配線部２または配線孔５には配線孔キャップ６が装着される。
【００１４】
図５は本発明の第１の実施の形態における配線孔キャップ６の正面図を示し、配線孔キャップ６はベース１の壁面等に固定する面および電気計測器等を固定する面に設けた電線を通すための単一または複数の隠蔽配線用配線部２またはカバー４の周壁面４ｂに設けた電線を通すための単一もしくは複数の配線孔５に装着され、配線孔キャップ６の通線形成面７には打ち抜いて開放可能な通線部８と通気部である小孔１０とを設けてあり、この配線孔キャップ６により屋外で計器箱内の結露の発生を防止することができる。通線形成面７の全周には、図１２および図１３に示すように、断面略コ字状の把持部１５が形成されており、隠蔽配線用配線部２または配線孔５には配線孔キャップ６が装着される。この場合、配線孔キャップ６が装着されると、一般には、計器箱内は略密閉状態になるが、本発明の第１の形態における配線孔キャップ６では通線形成面７に設けられた通気部である多数の小孔１０によって計器箱内に空気の対流がおこり、結露の発生を防止することができる。
【００１５】
また、図８において、配線孔キャップ６はカバー４の検針窓３の周壁面４ｂに設けた電線を通すための単一もしくは複数の隠蔽配線用配線部２または配線孔５に装着され、配線孔キャップ６の通線部８を開放して通線を可能とする通線孔９とすることにより屋外で計器箱内の結露の発生を防止することができる。
【００１６】
図６は本発明の第２の実施の形態における配線孔キャップ６の正面図を示し、配線孔キャップ６はカバー４の周壁面４ｂに設けた電線を通すための単一もしくは複数の隠蔽配線用配線部２または配線孔５に装着され、配線孔キャップ６の通線形成面７が通気部である網状体１１によって形成されている。この配線孔キャップ６により屋外で計器箱内の結露の発生を防止することができる。この場合、網状体１１は通線部と通気部とを兼用している。
【００１７】
図７は本発明の第３の実施の形態における配線孔キャップ６の正面図を示し、配線孔キャップ６はカバー４の周壁面４ｂに設けた電線を通すための単一もしくは複数の隠蔽配線用配線部２または配線孔５に装着され、配線孔キャップ６の通線形成面７にその周縁部付近にまで達する複数の平行な細長い孔で形成して通気部とするスリット１２を設けたことにより屋外で計器箱内の結露の発生を防止することができる。
【００１８】
図９は本発明の第４の実施の形態における配線孔キャップ６の正面図を示し、第１から３のいずれかの形態に記載の配線孔キャップ６において、通線部８が繰り返し付け外し可能な付け外し可能通線部１３を持つことにより屋外で計器箱内の結露の発生を防止することができる。
【００１９】
図１０および図１１は本発明の第５の実施の形態における配線孔キャップ６の正面図を示し、第１から３のいずれかの形態に記載の配線孔キャップ６において、通線部８が繰り返し開閉可能に形成され、かつ開放時にも通線部８が脱落しないように配線孔キャップ６の通線形成面７と通線部８の一部を蝶番状の構造にて結合した開閉可能通線部１４を持つことにより屋外で計器箱内の結露の発生を防止することができる。すなわち、通線部８が繰り返し開閉可能に形成され、かつ開放時にも通線部８が脱落しないように配線孔キャップ６の通線形成面７と通線部８の一部を蝶番状構造にて結合した開閉可能通線部１４が開いて、通線部８の一部を開放の状態にできる。
【００２０】
上記第２から５のいずれかの実施の形態に記載の配線孔キャップ６においても第１の実施の形態と同様に、図１３に示すように配線孔キャップ６を通線形成面７の全周に形成した断面略コ字状の把持部１５にて配線孔５が装着されて、計器箱内に空気の対流がおこり、結露の発生を防止することができる。
【図面の簡単な説明】
【００２１】
【図１】本発明の配線孔キャップを配線孔に取り付けた状態の計器箱の斜視図である。
【図２】計器箱のベースの平面図である。
【図３】本発明の配線孔キャップを隠蔽配線用配線部に取り付けた状態のベースの斜視図である。
【図４】本発明の配線孔キャップを取り外した状態の正面図である。
【図５】第１の実施の形態における配線孔キャップの正面図である。
【図６】第２の実施の形態における配線孔キャップの正面図である。
【図７】第３の実施の形態における配線孔キャップの正面図である。
【図８】第１の実施の形態における配線孔キャップの通線部の説明図である。
【図９】第４の実施の形態における配線孔キャップの正面図である。
【図１０】第５の実施の形態における配線孔キャップの正面図である。
【図１１】第５の実施の形態における配線孔キャップの側面図である。
【図１２】第１の実施の形態における配線孔キャップの斜視図である。
【図１３】第１の実施の形態における配線孔キャップの側面図である。
【図１４】本発明の配線孔キャップを計器箱に装着した要部の断面図である。
【図１５】従来の計器箱の正面図である。
【図１６】従来の計器箱の側面図である。
【符号の説明】
【００２２】
１    ベース
１ａ  アダプタ
２    隠蔽配線用配線部
３    検針窓
４    カバー
４ａ  上面
４ｂ  周壁面
５    配線孔
６    配線孔キャップ
７    通線形成面
８    通線部
９    通線孔
１０  小孔
１１  網状体
１２  スリット
１３  付け外し可能通線部
１４  開閉可能通線部
１５  把持部
９２  カバー
９３  検針窓
９４  仕切リブ
９５  電気計測器
９６  計量指示部
【図１】
2009180639.tif 000003
【図２】
2009180639.tif 000004
【図３】
2009180639.tif 000005
【図４】
2009180639.tif 000006
【図５】
2009180639.tif 000007
【図６】
2009180639.tif 000008
【図７】
2009180639.tif 000009
【図８】
2009180639.tif 000010
【図９】
2009180639.tif 000011
【図１０】
2009180639.tif 000012
【図１１】
2009180639.tif 000013
【図１２】
2009180639.tif 000014
【図１３】
2009180639.tif 000015
【図１４】
2009180639.tif 000016
【図１５】
2009180639.tif 000017
【図１６】
2009180639.tif 000018